(57)【要約】【課題】複数基地局の無線フレーム間のオフセットを適切に基地局に報告する。【解決手段】複数の基地局とデュアルコネクティビティによる通信を行う機能を有するユーザ装置において、前記ユーザ装置が前記デュアルコネクティビティによる通信を行っていない状態において、前記ユーザ装置のサービングセルを形成する基地局から、測定対象セルにおける無線フレームと前記サービングセルにおける無線フレームとの間のずれを示すオフセットを報告することを指示する測定設定情報を受信し、当該測定設定情報に従って前記オフセットを測定する測定手段と、前記測定手段により測定したオフセットを、前記サービングセルを形成する基地局に報告する測定報告手段とを備える。【選択図】図５
2016048857.tif 000002
【特許請求の範囲】
【請求項１】
複数の基地局とデュアルコネクティビティによる通信を行う機能を有するユーザ装置であって、
前記ユーザ装置が前記デュアルコネクティビティによる通信を行っていない状態において、前記ユーザ装置のサービングセルを形成する基地局から、測定対象セルにおける無線フレームと前記サービングセルにおける無線フレームとの間のずれを示すオフセットを報告することを指示する測定設定情報を受信し、当該測定設定情報に従って前記オフセットを測定する測定手段と、
前記測定手段により測定したオフセットを、前記サービングセルを形成する基地局に報告する測定報告手段と
を備えることを特徴とするユーザ装置。
【請求項２】
前記測定設定情報には、セルグローバルＩＤを報告することを指示する指示情報と前記オフセットを報告することを指示する指示情報とが含まれる
ことを特徴とする請求項１に記載のユーザ装置。
【請求項３】
前記測定設定情報に前記セルグローバルＩＤを報告することを指示する指示情報が含まれていても、当該セルグローバルＩＤの取得を行わずに、前記オフセットの取得を行う
ことを特徴とする請求項２に記載のユーザ装置。
【請求項４】
前記オフセットは、前記測定対象セルにおけるシステムフレーム番号と前記サービングセルにおけるシステムフレーム番号との間のオフセットと、前記測定対象セルにおけるサブフレームと前記サービングセルにおけるサブフレームとの間のオフセットからなる
ことを特徴とする請求項１ないし３のうちいずれか１項に記載のユーザ装置。
【請求項５】
第１の基地局及び第２の基地局を有する複数の基地局とデュアルコネクティビティによる通信を行う機能を有するユーザ装置であって、
前記ユーザ装置が前記デュアルコネクティビティによる通信を行う状態において、前記第１の基地局から、当該第１の基地局により形成されるセルにおける無線フレームと前記第２の基地局により形成されるセルにおける無線フレームとの間のずれを示すオフセットを報告することを指示する測定設定情報を受信し、当該測定設定情報に従って前記オフセットを測定する測定手段と、
前記測定手段により測定したオフセットを、前記第１の基地局に報告する測定報告手段と
を備えることを特徴とするユーザ装置。
【請求項６】
前記測定設定情報には、近隣の受信電力の高いセルを報告することを指示する指示情報と前記オフセットを報告することを指示する指示情報とが含まれる
ことを特徴とする請求項５に記載のユーザ装置。
【請求項７】
前記第１の基地局により形成されるセルはＰＣｅｌｌであり、前記第２の基地局により形成されるセルはＰＳＣｅｌｌである
ことを特徴とする請求項５又は６に記載のユーザ装置。
【請求項８】
前記オフセットは、前第１の基地局により形成されるセルにおけるシステムフレーム番号と前第２の基地局により形成されるセルにおけるシステムフレーム番号との間のオフセットと、前記第１の基地局により形成されるセルにおけるサブフレームと前記第２の基地局により形成されるセルにおけるサブフレームとの間のオフセットからなる
ことを特徴とする請求項５ないし７のうちいずれか１項に記載のユーザ装置。
【請求項９】
複数の基地局とデュアルコネクティビティによる通信を行う機能を有するユーザ装置が実行するオフセット報告方法であって、
前記ユーザ装置が前記デュアルコネクティビティによる通信を行っていない状態において、前記ユーザ装置のサービングセルを形成する基地局から、測定対象セルにおける無線フレームと前記サービングセルにおける無線フレームとの間のずれを示すオフセットを報告することを指示する測定設定情報を受信し、当該測定設定情報に従って前記オフセットを測定する測定ステップと、
前記測定手段により測定したオフセットを、前記サービングセルを形成する基地局に報告する測定報告ステップと
を備えることを特徴とするオフセット報告方法。
【請求項１０】
第１の基地局及び第２の基地局を有する複数の基地局とデュアルコネクティビティによる通信を行う機能を有するユーザ装置が実行するオフセット報告方法であって、
前記ユーザ装置が前記デュアルコネクティビティによる通信を行う状態において、前記第１の基地局から、当該第１の基地局により形成されるセルにおける無線フレームと前記第２の基地局により形成されるセルにおける無線フレームとの間のずれを示すオフセットを報告することを指示する測定設定情報を受信し、当該測定設定情報に従って前記オフセットを測定する測定ステップと、
前記測定手段により測定したオフセットを、前記第１の基地局に報告する測定報告ステップと
を備えることを特徴とするオフセット報告方法。
【発明の詳細な説明】
【技術分野】
【０００１】
本発明は、ＬＴＥ等の移動通信システムにおける測定制御技術に関連し、特に、非同期の複数基地局間における無線フレームの差分を測定する技術に関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０までのＣＡでは、同一基地局ｅＮＢ配下の複数のＣＣを用いている。
【０００６】
一方、Ｒｅｌ−１２ではこれを拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００７】
Ｄｕａｌ  ｃｏｎｎｅｃｔｉｖｉｔｙは、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【先行技術文献】
【非特許文献】
【０００９】
【非特許文献１】３ＧＰＰ  ＴＲ  ３６．８４２  Ｖ１２．０．０  （２０１３−１２）
【非特許文献２】３ＧＰＰ  ＴＳ  ３６．３３１  Ｖ１２．２．０  （２０１４−０６）
【発明の概要】
【発明が解決しようとする課題】
【００１０】
上述したＤＣにおいては、基地局間が非同期でも動作するよう仕様が検討されている。非同期のため、ＤＣを構成する異なる基地局間において、ＳＦＮ（Ｓｙｓｔｅｍ  Ｆｒａｍｅ  Ｎｕｍｂｅｒ）及びサブフレームは合致しないことが想定される。例えば、図３に示すように、ある時刻において、ある基地局（例：ＭｅＮＢ）から受信するサブフレームがサブフレーム１である場合に、別の基地局（ＳｅＮＢ）から受信するサブフレームが、２と３の間のタイミングであるといったようなずれが生じる。
【００１１】
ところで、ユーザ装置ＵＥに異周波測定等を行わせるメジャメントギャップ（ｍｅａｓｕｒｅｍｅｎｔ  ｇａｐ）や、バッテリ消費削減等を目的とするＤＲＸは、ＳＦＮ／サブフレームに基づいて設定される。
【００１２】
メジャメントギャップやＤＲＸの設定の基準となるＳＦＮ／サブフレームが、ＤＣを構成する複数基地局間で合致しない場合、ＤＣにおけるメジャメントギャップやＤＲＸをユーザ装置ＵＥに対して適切に設定できない可能性があるという問題がある。
【００１３】
そこで、ＤＣを構成する基地局間が非同期の場合は、ユーザ装置ＵＥが基地局（ＭｅＮＢ、ＳｅＮＢ）のＭＩＢを取得し、両基地局間のＳＦＮ／サブフレームの差分を測定し、基地局に報告する仕組みが検討されている。しかしながら、どのようなシグナリングでユーザ装置ＵＥに測定を行わせ、オフセット（差分）の報告を行うかについての具体的な技術は存在しないため、実際の移動通信システムにおいて、ユーザ装置ＵＥが適切にオフセットを測定して報告することができない可能性があるという問題がある。
【００１４】
本発明は上記の点に鑑みてなされたものであり、ユーザ装置がデュアルコネクティビティにより複数基地局と通信を行う移動通信システムにおいて、ユーザ装置が、複数基地局の無線フレーム間のオフセットを適切に基地局に報告することを可能とする技術を提供することを目的とする。
【課題を解決するための手段】
【００１５】
本発明の実施の形態によれば、複数の基地局とデュアルコネクティビティによる通信を行う機能を有するユーザ装置であって、
前記ユーザ装置が前記デュアルコネクティビティによる通信を行っていない状態において、前記ユーザ装置のサービングセルを形成する基地局から、測定対象セルにおける無線フレームと前記サービングセルにおける無線フレームとの間のずれを示すオフセットを報告することを指示する測定設定情報を受信し、当該測定設定情報に従って前記オフセットを測定する測定手段と、
前記測定手段により測定したオフセットを、前記サービングセルを形成する基地局に報告する測定報告手段とを備えるユーザ装置が提供される。
【００１６】
また、本発明の実施の形態によれば、第１の基地局及び第２の基地局を有する複数の基地局とデュアルコネクティビティによる通信を行う機能を有するユーザ装置であって、
前記ユーザ装置が前記デュアルコネクティビティによる通信を行う状態において、前記第１の基地局から、当該第１の基地局により形成されるセルにおける無線フレームと前記第２の基地局により形成されるセルにおける無線フレームとの間のずれを示すオフセットを報告することを指示する測定設定情報を受信し、当該測定設定情報に従って前記オフセットを測定する測定手段と、
前記測定手段により測定したオフセットを、前記第１の基地局に報告する測定報告手段とを備えるユーザ装置が提供される。
【００１７】
また、本発明の実施の形態によれば、複数の基地局とデュアルコネクティビティによる通信を行う機能を有するユーザ装置が実行するオフセット報告方法であって、
前記ユーザ装置が前記デュアルコネクティビティによる通信を行っていない状態において、前記ユーザ装置のサービングセルを形成する基地局から、測定対象セルにおける無線フレームと前記サービングセルにおける無線フレームとの間のずれを示すオフセットを報告することを指示する測定設定情報を受信し、当該測定設定情報に従って前記オフセットを測定する測定ステップと、
前記測定手段により測定したオフセットを、前記サービングセルを形成する基地局に報告する測定報告ステップとを備えるオフセット報告方法が提供される。
【００１８】
また、本発明の実施の形態によれば、第１の基地局及び第２の基地局を有する複数の基地局とデュアルコネクティビティによる通信を行う機能を有するユーザ装置が実行するオフセット報告方法であって、
前記ユーザ装置が前記デュアルコネクティビティによる通信を行う状態において、前記第１の基地局から、当該第１の基地局により形成されるセルにおける無線フレームと前記第２の基地局により形成されるセルにおける無線フレームとの間のずれを示すオフセットを報告することを指示する測定設定情報を受信し、当該測定設定情報に従って前記オフセットを測定する測定ステップと、
前記測定手段により測定したオフセットを、前記第１の基地局に報告する測定報告ステップとを備えるオフセット報告方法が提供される。
【発明の効果】
【００１９】
本発明の実施の形態によれば、ユーザ装置がデュアルコネクティビティにより複数基地局と通信を行う移動通信システムにおいて、ユーザ装置が、複数基地局の無線フレーム間のオフセットを適切に基地局に報告することを可能とする技術が提供される。
【図面の簡単な説明】
【００２０】
【図１】Ｒｅｌ−１０までのＣＡを示す図である。
【図２】Ｄｕａｌ  ｃｏｎｎｅｃｔｉｖｉｔｙの例を示す図である。
【図３】ＳＦＮ／サブフレームのずれを説明するための図である。
【図４】本発明の実施の形態における通信システムの構成図である。
【図５】第１の実施の形態における処理のシーケンスを示す図である。
【図６】第２の実施の形態における処理のシーケンスを示す図である。
【図７】３ＧＰＰ仕様書の変更例を示す図である。
【図８】３ＧＰＰ仕様書の変更例を示す図である。
【図９】３ＧＰＰ仕様書の変更例を示す図である。
【図１０】３ＧＰＰ仕様書の変更例を示す図である。
【図１１】３ＧＰＰ仕様書の変更例を示す図である。
【図１２】３ＧＰＰ仕様書の変更例を示す図である。
【図１３】３ＧＰＰ仕様書の変更例を示す図である。
【図１４】３ＧＰＰ仕様書の変更例を示す図である。
【図１５】３ＧＰＰ仕様書の変更例を示す図である。
【図１６】３ＧＰＰ仕様書の変更例を示す図である。
【図１７】ユーザ装置の構成図である。
【図１８】基地局の構成図である。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２２】
（システム構成）
図４は、本発明の実施の形態における通信システムの構成例を示す図である。図３に示すように、当該通信システムは、それぞれコアネットワーク１０に接続される基地局ＭｅＮＢと基地局ＳｅＮＢを備え、ユーザ装置ＵＥとの間でＤＣ（Ｄｕａｌ  Ｃｏｎｎｅｃｔｉｖｉｔｙ）を可能としている。また、基地局ＭｅＮＢと基地局ＳｅＮＢとの間は、例えばＸ２インターフェースにより通信可能である。
【００２３】
図４に示す通信システムにおいて、例えば、ＭＣＧをマクロセルとし、ＳＣＧをスモールセルとして、ＰＣｅｌｌ、ＳＣｅｌｌ（ＰＳＣｅｌｌを含む）の設定を行うことができる。ユーザ装置ＵＥにおけるＳＣｅｌｌ（ＰＳＣｅｌｌを含む）の追加、削除、設定変更は、基地局ＭｅＮＢからのＲＲＣシグナリングで行うこととするが、これに限られるわけではない。以下、基地局ＭｅＮＢ、基地局ＳｅＮＢを単にＭｅＮＢ、ＳｅＮＢと記述する。
【００２４】
図４に示す構成は、第１、第２の実施の形態に共通であるが、後述するように、第１の実施の形態では、ＳｅＮＢが追加される前の状態（ＤＣが設定される前の状態）を対象としている。以下では、ユーザ装置ＵＥが単独の基地局と通信している際の当該基地局についてもＭｅＮＢと呼ぶことにする。
【００２５】
（メジャメント（測定）について）
本実施の形態では、既存のメジャメントの仕組みを拡張することで、ＭｅＮＢがユーザ装置ＵＥに対してＳＦＮ／サブフレームオフセットを報告させることとしていることから、まず、既存のメジャメントについての基本的な事項について説明する。なお、既存のメジャメントの詳細は非特許文献２に記載されている。
【００２６】
例えば、ユーザ装置ＵＥは、周辺セル（例：ＰＳＣｅｌｌとなるセル）の下りリンクの受信品質を測定し、測定結果をＭｅＮＢに報告することで、ＭｅＮＢは、ＳｅＮＢの追加等を行うことができる。
【００２７】
ＭｅＮＢは、ユーザ装置ＵＥに対して、どの周波数で何（ＲＳＲＰ，ＲＳＲＱ等）を測定し、どのような条件（周期的、イベントベース）で、どのような情報を含む結果報告を行うか等についての設定（測定設定）を行う。この設定は、ＭｅＮＢがユーザ装置ＵＥに対して、測定設定情報を含むＲＲＣメッセージ（ＲＲＣＣｏｎｎｅｃｔｉｏｎＲｅｃｏｎｆｉｇｕｒａｔｉｏｎ  ｍｅｓｓａｇｅ）を送信することにより行われる。
【００２８】
ＲＲＣメッセージによりＭｅＮＢからユーザ装置ＵＥに送信される測定設定情報には、測定オブジェクト（Ｍｅａｓｕｒｅｍｅｎｔ  ｏｂｊｅｃｔ）、報告設定情報（Ｒｅｐｏｒｔｉｎｇ  ｃｏｎｆｉｇｕｒａｔｉｏｎ）、及び測定ＩＤ（Ｍｅａｓｕｒｅｍｅｎｔ  ｉｄｅｎｔｉｔｙ）等が含まれる。
【００２９】
測定オブジェクトは、測定対象とする周波数（ＥＡＲＦＣＮ）、測定帯域幅等の測定すべき対象を含む。周波数に関し、測定オブジェクトは、１つの周波数のみを含む。報告設定情報は、報告のトリガ（イベントベース、周期的等）、測定／報告量（ＲＳＲＰ、ＲＳＲＱ等）等を含む。測定ＩＤは、測定オブジェクトと報告設定情報とを対応付けるＩＤである。
【００３０】
（第１の実施の形態）
次に、本発明の第１の実施の形態について説明する。第１の実施の形態では、ユーザ装置ＵＥがＤＣを設定していない状態で、サービングセル（ｓｅｒｖｉｎｇ  ｃｅｌｌ）でない異周波数の特定のセルとサービングセルとの間のＳＦＮ／サブフレームオフセットを取得するようにシグナリングが実施される。
【００３１】
なお、ＳＦＮ／サブフレームオフセットは、例えば、セル１とセル２間のオフセットであれば、「セル１のＳＦＮがセル２のＳＦＮより３ｒａｄｉｏ  ｆｒａｍｅ進んでいる」、「セル１のサブフレームはセル２のサブフレームよりＸ ｓｕｂｆｒａｍｅ進んでいる」といったことを意味する情報を含む。ユーザ装置ＵＥは、セル１とセル２から受信するシステム情報（ＭＩＢ等）により、これらの情報を取得することができる。
【００３２】
具体的には、本実施の形態では、既存の周期的測定（ｐｅｒｉｏｄｉｃａｌ  ｍｅａｓｕｒｅｍｅｎｔ）におけるｒｅｐｏｒｔＣＧＩの仕組みを拡張して、ＭｅＮＢがユーザ装置ＵＥに対してＳＦＮ／サブフレームオフセットを取得・報告させるようにしている。
【００３３】
既存のｒｅｐｏｒｔＣＧＩは、ＭｅＮＢがユーザ装置ＵＥに対して特定のセルのＰＣＩ（物理セルＩＤ）を指定し、当該セルのＣＧＩ（Ｃｅｌｌ  Ｇｌｏｂａｌ  ＩＤ）を報告させる仕組みであり、ＭｅＮＢから周期的測定指示と、その目的として、ｒｅｐｏｒｔＣＧＩが指定されることにより、上記ＣＧＩの報告がなされる。なお、ＣＧＩとは、全世界でセルを一意に識別できる識別子であり、ＳＩＢ１により各セルから報知される情報である。
【００３４】
図５を参照して、本実施の形態における処理のシーケンス例を説明する。図５の例において、ＭｅＮＢは、例えば、既にユーザ装置ＵＥから受信した周辺セルの測定結果等に基づいて、ユーザ装置ＵＥに対して、ＤＣのＰＳＣｅｌｌとして設定したいセルのＰＣＩを特定する（ステップ１０１）。
【００３５】
次に、ＭｅＮＢは、ＲＲＣＣｏｎｎｅｃｔｉｏｎＲｅｃｏｎｆｉｇｕｒａｔｉｏｎメッセージにより、ユーザ装置ＵＥに対してＳＦＮ／サブフレームオフセット報告（測定）指示等を送信する（ステップ１０２）。
【００３６】
ステップ１０２のメッセージには、ＭｅＮＢのサービングセル（ＰＣｅｌｌ）に対するオフセットを測定する対象となる測定対象セル（本実施形態では、ＭｅＮＢがＰＳＣｅｌｌとして設定したいセル）のＰＣＩと、ＳＦＮ／サブフレームオフセット報告指示が含まれる。
【００３７】
より具体的には、上記測定対象セルのＰＣＩは、当該セル（ＭｅＮＢがＰＳＣｅｌｌとして設定したいセル）の周波数用の測定オブジェクト（Ｍｅａｓｕｒｅｍｅｎｔ  Ｏｂｊｅｃｔ）内のｃｅｌｌＦｏｒＷｈｉｃｈＴｏＲｅｐｏｒｔＳＦＮ−Ｏｆｆｓｅｔ  ＩＥにより指定される。
【００３８】
また、ＳＦＮ／サブフレームオフセット報告指示は、ｐｅｒｉｏｄｉｃａｌ  ｍｅａｓｕｒｅｍｅｎｔかつｒｅｐｏｒｔＣＧＩに加えて、ＳＦＮ／サブフレームオフセット報告を指示する「ｓｆｎ−ＲｅｑｕｅｓｔＦｏｒＤＣ」という新しいｃａｕｓｅにより行われる。
【００３９】
ステップ１０３で、ユーザ装置ＵＥからＲＲＣＣｏｎｎｅｃｔｉｏｎＲｅｃｏｎｆｉｇｕｒａｔｉｏｎＣｏｍｐｌｅｔｅがＭｅＮＢに返される。
【００４０】
ステップ１０４において、ユーザ装置ＵＥは、ステップ１０２で受信した指示に従って、対象セルを測定するために自律でメジャメントギャップを設定して対象セルのＭＩＢを取得し、当該対象セルとサービングセル（ＰＣｅｌｌ）との間のＳＦＮ／サブフレームオフセットを測定する。
【００４１】
そして、ユーザ装置ＵＥは、ＳＦＮ／サブフレームオフセットの測定結果を含む測定報告をＭｅＮＢに送信する（ステップ１０５）。より具体的には、当該測定報告には、ＭｅＮＢのＰＣｅｌｌと対象セルとの間のＳＦＮとサブフレームのオフセット（差分）が含まれる。
【００４２】
第１の実施の形態では、ｒｅｐｏｒｔＣＧＩに関して、ＣＧＩを取得する手順を行うかどうかの違いにより、下記のオプション１とオプション２がある。
【００４３】
オプション１では、ＳＩＢ１を読んでＣＧＩを報告させるｒｅｐｏｒｔＣＧＩに対して、前述したｃａｕｓｅ「ｓｆｎ−ＲｅｑｕｅｓｔＦｏｒＤＣ」を追加する。オプション１では、ユーザ装置ＵＥは、ＣＧＩの取得・報告を行うとともに、それに追加で、ＳＦＮ／サブフレームオフセットの測定・報告を行う。
【００４４】
オプション２では、「ｒｅｐｏｒｔＣＧＩかつｓｆｎ−ＲｅｑｕｅｓｔＦｏｒＤＣ」という新規のｃａｕｓｅを図５のステップ１０２で指定する。「ｒｅｐｏｒｔＣＧＩかつｓｆｎ−ＲｅｑｕｅｓｔＦｏｒＤＣ」の指定を受けたユーザ装置ＵＥは、ＳＩＢ１を読んでＣＧＩを取得する手順を省略し、ＳＦＮ／サブフレームオフセットの測定・報告を行う。すなわち、この場合、ＣＧＩを報告することを指示する指示情報であるｒｅｐｏｒｔＣＧＩが含まれていても、当該ＣＧＩの取得を行わずに、ＳＦＮ／サブフレームオフセットの測定を行う。上記オプション１、オプション２についての具体的な仕様書記載例については後述する。
【００４５】
本実施の形態において、ｒｅｐｏｒｔＣＧＩに対して、「ｓｆｎ−ＲｅｑｕｅｓｔＦｏｒＤＣ」を追加することで、ＳＦＮ／サブフレームオフセットの測定をユーザ装置ＵＥに行わせる理由は、このようにすることで、仕様書の変更量が比較的少なくて済むからである。仕様書の変更量が少ないということは、現状のユーザ装置ＵＥからの実装変更量も少なくて済むことを意味するから、本実施の形態の技術により、比較的容易に、ＳＦＮ／サブフレームオフセットの測定・報告機能をユーザ装置ＵＥに実装することができる。
【００４６】
（第２の実施の形態）
次に、本発明の第２の実施の形態について説明する。第２の実施の形態では、ユーザ装置ＵＥがＤＣを設定している状態で、ＰＣｅｌｌとＰＳＣｅｌｌとの間のＳＦＮ／サブフレームオフセットを取得するようにシグナリングが実施される。
【００４７】
具体的には、本実施の形態では、既存の周期的測定（ｐｅｒｉｏｄｉｃａｌ  ｍｅａｓｕｒｅｍｅｎｔ）におけるｒｅｐｏｒｔＳｔｒｏｎｇｅｓｔＣｅｌｌの仕組みを拡張して、ＭｅＮＢがユーザ装置ＵＥに対してＳＦＮ／サブフレームオフセットを取得させるようにしている。
【００４８】
既存のｒｅｐｏｒｔＳｔｒｏｎｇｅｓｔＣｅｌｌは、ＭｅＮＢがユーザ装置ＵＥに対して、近隣の受信電力の高いセルを報告する仕組みであり、ＭｅＮＢから周期的測定指示と、その目的として、ｒｅｐｏｒｔＳｔｒｏｎｇｅｓｔＣｅｌｌが指定されることにより、近隣の受信電力の高いセルの測定、報告がなされる。
【００４９】
図６を参照して、本実施の形態における処理のシーケンス例を説明する。図６の例では、既にＳｅＮＢ追加設定手順が実行され、ユーザ装置ＵＥは、ＭｅＮＢ（ＰＣｅｌｌ）とＳｅＮＢ（ＰＳＣｅｌｌ）とでＤＣを行っている（ステップ２０１）。
【００５０】
ステップ２０２で、ＭｅＮＢが、ＰＣｅｌｌとＰＳＣｅｌｌとの間のＳＦＮ／サブフレームオフセット測定（及び報告）をユーザ装置ＵＥに行わせることを決定する。この決定のトリガは特定のものに限られないが、例えば、ＤＣを設定した後、ＳＦＮ／サブフレームオフセットを有していない場合（第１の実施の形態を実施しない場合）、前回のＳＦＮ／サブフレームオフセット測定から所定期間が経過した場合、等が考えられる。
【００５１】
次に、ＭｅＮＢは、ＲＲＣＣｏｎｎｅｃｔｉｏｎＲｅｃｏｎｆｉｇｕｒａｔｉｏｎメッセージにより、ユーザ装置ＵＥに対してＳＦＮ／サブフレームオフセット報告（測定）指示等を送信する（ステップ２０３）。
【００５２】
ステップ２０３のメッセージには、ｐｅｒｉｏｄｉｃａｌ  ｍｅａｓｕｒｅｍｅｎｔかつｒｅｐｏｒｔＳｔｒｏｎｇｅｓｔＣｅｌｌに加えて、ＳＦＮ／サブフレームオフセット報告を指示するｓｆｎ−ＲｅｑｕｅｓｔＦｏｒＤＣという新しいｃａｕｓｅが含まれる。ｐｅｒｉｏｄｉｃａｌ  ｍｅａｓｕｒｅｍｅｎｔとｒｅｐｏｒｔＳｔｒｏｎｇｅｓｔＣｅｌｌに加えて、ｓｆｎ−ＲｅｑｕｅｓｔＦｏｒＤＣが含まれることにより、ユーザ装置ＵＥに対して、ＰＣｅｌｌとＰＳＣｅｌｌとの間のＳＦＮ／サブフレームオフセットを測定・報告させる指示となる。
【００５３】
ステップ２０４で、ユーザ装置ＵＥからＲＲＣＣｏｎｎｅｃｔｉｏｎＲｅｃｏｎｆｉｇｕｒａｔｉｏｎＣｏｍｐｌｅｔｅがＭｅＮＢに返される。
【００５４】
ステップ２０５において、ユーザ装置ＵＥは、ステップ２０３で受信した指示に従って、設定中のＰＣｅｌｌ、ＰＳＣｅｌｌのそれぞれのＭＩＢを取得し、ＳＦＮ／サブフレームオフセットを測定する。
【００５５】
そして、ユーザ装置ＵＥは、ＳＦＮ／サブフレームオフセットの測定結果を含む測定報告をＭｅＮＢに送信する（ステップ２０５）。より具体的には、当該測定報告には、ＰＣｅｌｌとＰＳＣｅｌｌとの間のＳＦＮのオフセットとサブフレームのオフセットが含まれる。
【００５６】
本実施の形態において、ｒｅｐｏｒｔＳｔｒｏｎｇｅｓｔＣｅｌｌに対して、「ｓｆｎ−ＲｅｑｕｅｓｔＦｏｒＤＣ」を追加することで、ＳＦＮ／サブフレームオフセットの測定をユーザ装置ＵＥに行わせる理由は、このようにすることで、仕様書の変更量が比較的少なくて済むからである。仕様書の変更量が少ないということは、現状のユーザ装置ＵＥからの実装変更量も少なくて済むことを意味するから、本実施の形態の技術により、比較的容易に、ＳＦＮ／サブフレームオフセットの測定・報告機能をユーザ装置ＵＥに実装することができる。
【００５７】
（３ＧＰＰ仕様書変更例）
以下では、これまでに説明した第１、第２の実施の形態における、より具体的な実施例として、現在の３ＧＰＰ仕様書（非特許文献２：３ＧＰＰ  ＴＳ  ３６．３３１）からの変更例を示す。なお、これらの変更例は一例であり、一部である。また、以下で説明する図は、仕様書において変更を含む部分の抜粋を示す図である。また、下線部が変更箇所を示す。
【００５８】
図７は、「５．５．２．１  Ｇｅｎｅｒａｌ」における変更箇所を示す。当該箇所は、第２の実施の形態において、ＤＣが設定されているときに、ＰＳＣｅｌｌが設定されているサービング周波数に対して「ｓｆｎ−ＲｅｑｕｅｓｔＦｏｒＤＣ」が設定されることを示すものである。
【００５９】
図８は、「５．５．２．３  Ｍｅａｓｕｒｅｍｅｎｔ  ｉｄｅｎｔｉｔｙ  ａｄｄｉｔｉｏｎ／ｍｏｄｉｆｉｃａｔｉｏｎ」における変更箇所を示す。当該箇所は、第１の実施の形態において、ｒｅｐｏｒｔＣｏｎｆｉｇに「ｓｆｎ−ＲｅｑｕｅｓｔＦｏｒＤＣ」が含まれる場合に、該当ｍｅａｓＩｄに対して、測定用タイマ（Ｔ３２１）を開始することを示すものである。
【００６０】
図９及び図１０は、「５．５．３．１  Ｇｅｎｅｒａｌ」における変更箇所を示す。図９の最初の下線部分は、第１の実施の形態におけるオプション１に対応する。当該箇所は、ｒｅｐｏｒｔＣｏｎｆｉｇの目的がｒｅｐｏｒｔＣＧＩである場合において、ｒｅｐｏｒｔＣｏｎｆｉｇに対して「ｓｆｎ−ＲｅｑｕｅｓｔＦｏｒＤＣ」が設定されている場合、「ｃｅｌｌＦｏｒＷｈｉｃｈＴｏＲｅｐｏｒｔＳＦＮ−Ｏｆｆｓｅｔ」で示されるセルとＰＣｅｌｌとの間のＳＦＮ／サブフレームオフセットを取得することを示すものである。
【００６１】
図１０の最初の下線部分は、第１の実施の形態におけるオプション２に対応する。当該箇所は、ｒｅｐｏｒｔＣｏｎｆｉｇの目的が「ｒｅｐｏｒｔＣＧＩ  ａｎｄ  ｓｆｎ−ＲｅｑｕｅｓｔＦｏｒＤＣ」と設定されている場合に、「ｃｅｌｌＦｏｒＷｈｉｃｈＴｏＲｅｐｏｒｔＳＦＮ−Ｏｆｆｓｅｔ」で示されるセルとＰＣｅｌｌとの間のＳＦＮ／サブフレームオフセットを取得することを示すものである。「ｒｅｐｏｒｔＣＧＩ  ａｎｄ  ｓｆｎ−ＲｅｑｕｅｓｔＦｏｒＤＣ」が設定されている場合、ＣＧＩの取得・報告は行われない。
【００６２】
図９、図１０における２番目の下線部分は、第２の実施の形態において、ｒｅｐｏｒｔＣｏｎｆｉｇの目的がｒｅｐｏｒｔＣＧＩ等でない場合において、ｒｅｐｏｒｔＣｏｎｆｉｇに「ｓｆｎ−ＲｅｑｕｅｓｔＦｏｒＤＣ」が設定されている場合に、ＰＣｅｌｌとＰＳＣｅｌｌとの間のＳＦＮ／サブフレームオフセットを取得することを示すものである。
【００６３】
図１１は、「５．５．４．１  Ｇｅｎｅｒａｌ」における変更箇所を示す。最初の下線部分は、第１の実施の形態において、ｒｅｐｏｒｔＣｏｎｆｉｇの目的がｒｅｐｏｒｔＣＧＩに設定されている場合において、「ｃｅｌｌＦｏｒＷｈｉｃｈＴｏＲｅｐｏｒｔＳＦＮ−Ｏｆｆｓｅｔ」で示す周辺セルを考慮することを示す。２番目の下線部分は、第１、第２の実施の形態において、ｒｅｐｏｒｔＣｏｎｆｉｇの目的がｒｅｐｏｒｔＣＧＩ等でない場合に、ｒｅｐｏｒｔＣｏｎｆｉｇに「ｓｆｎ−ＲｅｑｕｅｓｔＦｏｒＤＣ」が設定されていたら、ＰＳＣｅｌｌのみ考慮することを示す。
【００６４】
図１２は、「５．５．５  Ｍｅａｓｕｒｅｍｅｎｔ  ｒｅｐｏｒｔｉｎｇ」の変更箇所を示す。最初の下線部は、第１の実施の形態において、目的がｒｅｐｏｒｔＣＧＩである場合に、ｒｅｐｏｒｔＣｏｎｆｉｇに「ｓｆｎ−ＲｅｑｕｅｓｔＦｏｒＤＣ」が設定されていたら、「ｍｅａｓＲｅｓｕｌｔＦｏｒＳＦＮ−Ｏｆｆｓｅｔ」を測定結果に設定することを示す。２番目の下線部は、第２の実施の形態において、ｒｅｐｏｒｔＣｏｎｆｉｇに「ｓｆｎ−ＲｅｑｕｅｓｔＦｏｒＤＣ」が設定されていたら、「ｍｅａｓＲｅｓｕｌｔＦｏｒＳＦＮ−Ｏｆｆｓｅｔ」を測定結果に設定することを示す。
【００６５】
図１３は、「ＭｅａｓＯｂｊｅｃｔＥＵＴＲＡ  ｉｎｆｏｒｍａｔｉｏｎ  ｅｌｅｍｅｎｔ」において、第１の実施の形態に関する「ｃｅｌｌＦｏｒＷｈｉｃｈＴｏＲｅｐｏｒｔＳＦＮ−Ｏｆｆｓｅｔ」が追加されたことを示す。
【００６６】
図１４は、「ＭｅａｓＲｅｓｕｌｔｓ  ｉｎｆｏｒｍａｔｉｏｎ  ｅｌｅｍｅｎｔ」の変更箇所を示す。第１、第２の実施の形態に関する「ｍｅａｓＲｅｓｕｌｔＦｏｒＳＦＮ−Ｏｆｆｓｅｔ−ｒ１２」が追加されたことが示されている。図１５は、「ＭｅａｓＲｅｓｕｌｔｓ  ｆｉｅｌｄ  ｄｅｓｃｒｉｐｔｉｏｎｓ」に、ｓｆｎ−ＯｆｆｓｅｔとｓｕｂｆｒａｍｅＯｆｆｓｅｔの説明が追加されたことを示す。
【００６７】
図１６は、「ＲｅｐｏｒｔＣｏｎｆｉｇＥＵＴＲＡ  ｆｉｅｌｄ  ｄｅｓｃｒｉｐｔｉｏｎｓ」に、「ｓｆｎ−ＲｅｑｕｅｓｔＦｏｒＤＣ」の説明が追加されたことを示す。図１６に示すように、第２の実施の形態では、ＲｅｐｏｒｔＣｏｎｆｉｇに「ｓｆｎ−ＲｅｑｕｅｓｔＦｏｒＤＣ」が存在し、ｔｒｉｇｇｅｒＴｙｐｅとｐｕｒｐｏｓｅがそれぞれｐｅｒｉｏｄｉｃａｌと  ｒｅｐｏｒｔＳｔｒｏｎｇｅｓｔＣｅｌｌｓである場合に、ユーザ装置ＵＥは、ＰＣｅｌｌと比較したＰＳＣｅｌｌのＳＦＮ／サブフレームオフセットを報告する。
【００６８】
図１６に示すように、第１の実施の形態では、ＲｅｐｏｒｔＣｏｎｆｉｇに「ｓｆｎ−ＲｅｑｕｅｓｔＦｏｒＤＣ」が存在し、ｔｒｉｇｇｅｒＴｙｐｅとｐｕｒｐｏｓｅがそれぞれｐｅｒｉｏｄｉｃａｌと  ｒｅｐｏｒｔＣＧＩである場合に、ユーザ装置ＵＥは、自律的にギャップを設定して、「ｃｅｌｌＦｏｒＷｈｉｃｈＴｏＲｅｐｏｒｔＳＦＮ−Ｏｆｆｓｅｔ」で示される対象セルからシステム情報を取得する。
【００６９】
（装置構成例）
＜ユーザ装置ＵＥの構成例＞
図１７に、本実施の形態に係るユーザ装置ＵＥの機能構成図を示す。図１７に示すように、ユーザ装置ＵＥは、ＤＬ信号受信部１０１、ＵＬ信号送信部１０２、ＤＣ制御部１０３、オフセット測定制御部１０４、オフセット測定結果報告部１０５を含む。なお、図１７は、ユーザ装置ＵＥにおいて本発明の実施の形態に特に関連する機能部のみを示すものであり、少なくともＬＴＥに準拠した動作を行うための図示しない機能も有するものである。また、図１７に示す機能構成は一例に過ぎない。本実施の形態に係る動作を実行できるのであれば、機能区分や機能部の名称はどのようなものでもよい。
【００７０】
ＤＬ信号受信部１０１は、基地局ｅＮＢ（ＭｅＮＢ等）から各種の信号を無線受信し、受信した物理レイヤの信号からより上位のレイヤの信号を取得する機能を含む。ＵＬ信号送信部１０２は、ユーザ装置ＵＥから送信されるべき上位のレイヤの信号から、物理レイヤの各種信号を生成し、無線送信する機能を含む。また、ＤＬ信号受信部１０１とＵＬ信号送信部１０２は、ＤＣ制御部１０３による設定等に基づいて、ＤＣ通信を行う機能を備える。
【００７１】
ＤＣ制御部１０３は、基地局ｅＮＢからの設定情報に基づいて、ＤＣの設定／変更／管理等の処理を行う。
【００７２】
オフセット測定制御部１０４は、第１の実施の形態で説明したオフセットの測定機能と第２の実施の形態で説明したオフセットの測定機能の両方を含む。もしくは、オフセット測定制御部１０４は、第１の実施の形態で説明したオフセットの測定機能と第２の実施の形態で説明したオフセットの測定機能のいずれかを有することとしてもよい。第１の実施の形態において、オフセット測定制御部１０４は、ＤＣが設定される前に、基地局ｅＮＢから受信するＲＲＣＣｏｎｎｅｃｔｉｏｎＲｅｃｏｎｆｉｇｕｒａｔｉｏｎに基づいて、対象セルとＰＣｅｌｌとの間のＳＦＮ／サブフレームオフセットを測定する。第２の実施の形態において、オフセット測定制御部１０４は、ＤＣの通信を行う状態のときに、基地局ｅＮＢから受信するＲＲＣＣｏｎｎｅｃｔｉｏｎＲｅｃｏｎｆｉｇｕｒａｔｉｏｎに基づいて、ＰＣｅｌｌとＰＳＣｅｌｌとの間のＳＦＮ／サブフレームオフセットを測定する。
【００７３】
オフセット測定結果報告部１０５は、第１の実施の形態で説明したオフセットの報告機能と第２の実施の形態で説明したオフセットの報告機能の両方を含む。もしくは、オフセット測定結果報告部１０５は、第１の実施の形態で説明したオフセットの報告機能と第２の実施の形態で説明したオフセットの報告機能のいずれかを有することとしてもよい。第１の実施の形態において、オフセット測定結果報告部１０５は、ＤＣが設定される前に、基地局ｅＮＢから受信するＲＲＣＣｏｎｎｅｃｔｉｏｎＲｅｃｏｎｆｉｇｕｒａｔｉｏｎに基づいて測定されたＳＦＮ／サブフレームオフセットを基地局ｅＮＢに報告する。第２の実施の形態において、オフセット測定結果報告部１０５は、ＤＣが設定されているときに、基地局ｅＮＢから受信するＲＲＣＣｏｎｎｅｃｔｉｏｎＲｅｃｏｎｆｉｇｕｒａｔｉｏｎに基づいて測定したＳＦＮ／サブフレームオフセットを基地局ｅＮＢに報告する。
【００７４】
＜基地局ｅＮＢの構成例＞
図１８に、本実施の形態に係る基地局ｅＮＢ（本実施の形態ではＭｅＮＢ）の機能構成図を示す。図１８に示すように、基地局ｅＮＢは、ＤＬ信号送信部２０１、ＵＬ信号受信部２０２、ＤＣ制御部２０３、オフセット測定指示部２０４、オフセット測定結果処理部２０５を含む。なお、図１８は、基地局ｅＮＢにおいて本発明の実施の形態に特に関連する機能部のみを示すものであり、少なくともＬＴＥに準拠した移動通信システムにおける基地局として動作するための図示しない機能も有するものである。また、図１８に示す機能構成は一例に過ぎない。本実施の形態に係る動作を実行できるのであれば、機能区分や機能部の名称はどのようなものでもよい。
【００７５】
ＤＬ信号送信部２０１は、基地局ｅＮＢから送信されるべき上位のレイヤの信号から、物理レイヤの各種信号を生成し、無線送信する機能を含む。ＵＬ信号受信部２０２は、ユーザ装置ＵＥから各種の信号を無線受信し、受信した物理レイヤの信号からより上位のレイヤの信号を取得する機能を含む。ＤＣ制御部２０３は、ＤＣの設定／変更／管理等の処理を行う。
【００７６】
オフセット測定指示部２０４は、第１の実施の形態で説明したオフセットの測定指示機能と第２の実施の形態で説明したオフセットの測定指示機能の両方を含む。もしくは、オフセット測定指示部２０４は、第１の実施の形態で説明したオフセットの測定指示機能と第２の実施の形態で説明したオフセットの測定指示機能のいずれかを有することとしてもよい。第１の実施の形態において、オフセット測定指示部２０４は、ユーザ装置ＵＥにＤＣが設定される前に、当該ユーザ装置ＵＥに対し、オフセット測定指示等を含むＲＲＣＣｏｎｎｅｃｔｉｏｎＲｅｃｏｎｆｉｇｕｒａｔｉｏｎを送信する。第２の実施の形態において、オフセット測定指示部２０４は、ユーザ装置ＵＥにＤＣが設定された後に、当該ユーザ装置ＵＥに対し、オフセット測定指示等を含むＲＲＣＣｏｎｎｅｃｔｉｏｎＲｅｃｏｎｆｉｇｕｒａｔｉｏｎを送信する。
【００７７】
オフセット測定結果処理部２０５は、第１の実施の形態で説明した方法でユーザ装置ＵＥから送信されるオフセットを受信し、当該オフセットを用いた処理を行う機能と、第２の実施の形態で説明した方法でユーザ装置ＵＥから送信されるオフセットを受信し、当該オフセットを用いた処理を行う機能の両方を含む。もしくは、オフセット測定結果処理部２０５は、第１の実施の形態で説明した方法でユーザ装置ＵＥから送信されるオフセットを受信し、当該オフセットを用いた処理を行う機能と、第２の実施の形態で説明した方法でユーザ装置ＵＥから送信されるオフセットを受信し、当該オフセットを用いた処理を行う機能のいずれかを有することとしてもよい。
【００７８】
第１、第２の実施の形態のいずれの場合も、例えば、オフセット測定結果処理部２０５は、ユーザ装置ＵＥから受信したオフセットを用いて、ＰＣｅｌｌとＰＳＣｅｌｌとで合致したタイミングのメジャメントギャップ／ＤＲＸが設定されるように設定情報を作成し、ユーザ装置ＵＥに送信する動作等を行う。
【００７９】
以上説明したように、本実施の形態により、複数の基地局とデュアルコネクティビティによる通信を行う機能を有するユーザ装置であって、前記ユーザ装置が前記デュアルコネクティビティによる通信を行っていない状態において、前記ユーザ装置のサービングセルを形成する基地局から、測定対象セルにおける無線フレームと前記サービングセルにおける無線フレームとの間のずれを示すオフセットを報告することを指示する測定設定情報を受信し、当該測定設定情報に従って前記オフセットを測定する測定手段と、前記測定手段により測定したオフセットを、前記サービングセルを形成する基地局に報告する測定報告手段とを備えるユーザ装置が提供される。
【００８０】
上記の構成により、ユーザ装置が、複数基地局の無線フレーム間のオフセットを適切に基地局に報告することが可能となる。
【００８１】
前記測定設定情報には、例えば、セルグローバルＩＤを報告することを指示する指示情報と前記オフセットを報告することを指示する指示情報とが含まれる。このように構成することで、比較的容易に、オフセット測定・報告機能をユーザ装置に実装できる。
【００８２】
前記測定設定情報に前記セルグローバルＩＤを報告することを指示する指示情報が含まれていても、当該セルグローバルＩＤの取得を行わずに、前記オフセットの取得を行うこととしてもよい。この構成により、システム情報（ＳＩＢ１）を読むことなく、オフセット取得を行うことができるので、より迅速にオフセットの報告をすることができる。
【００８３】
前記オフセットは、例えば、前記測定対象セルにおけるシステムフレーム番号と前記サービングセルにおけるシステムフレーム番号との間のオフセットと、前記測定対象セルにおけるサブフレームと前記サービングセルにおけるサブフレームとの間のオフセットからなる。この構成により、複数基地局間でのシステムフレーム番号／サブフレームのずれを把握でき、例えばＤＣにおけるメジャメントギャップやＤＲＸを適切に設定することが可能となる。
【００８４】
また、本実施の形態により、第１の基地局及び第２の基地局を有する複数の基地局とデュアルコネクティビティによる通信を行う機能を有するユーザ装置であって、前記ユーザ装置が前記デュアルコネクティビティによる通信を行う状態において、前記第１の基地局から、当該第１の基地局により形成されるセルにおける無線フレームと前記第２の基地局により形成されるセルにおける無線フレームとの間のずれを示すオフセットを報告することを指示する測定設定情報を受信し、当該測定設定情報に従って前記オフセットを測定する測定手段と、前記測定手段により測定したオフセットを、前記第１の基地局に報告する測定報告手段とを備えるユーザ装置が提供される。
【００８５】
上記の構成により、ユーザ装置が、複数基地局の無線フレーム間のオフセットを適切に基地局に報告することが可能となる。
【００８６】
前記測定設定情報には、例えば、近隣の受信電力の高いセルを報告することを指示する指示情報と前記オフセットを報告することを指示する指示情報とが含まれる。このように構成することで、比較的容易に、オフセット測定・報告機能をユーザ装置に実装できる。
【００８７】
例えば、前記第１の基地局により形成されるセルはＰＣｅｌｌであり、前記第２の基地局により形成されるセルはＰＳＣｅｌｌである。この構成により、ＤＣにおけるＰＣｅｌｌとＰＳＣｅｌｌ間でのオフセットを取得できる。
【００８８】
前記オフセットは、例えば、前第１の基地局により形成されるセルにおけるシステムフレーム番号と前第２の基地局により形成されるセルにおけるシステムフレーム番号との間のオフセットと、前記第１の基地局により形成されるセルにおけるサブフレームと前記第２の基地局により形成されるセルにおけるサブフレームとの間のオフセットからなる。この構成により、複数基地局間でのシステムフレーム番号／サブフレームのずれを把握でき、例えばＤＣにおけるメジャメントギャップやＤＲＸを適切に設定することが可能となる。
【００８９】
本実施の形態で説明したユーザ装置ＵＥの機能構成は、ＣＰＵとメモリを備えるユーザ装置ＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９０】
本実施の形態で説明した基地局ｅＮＢについても、ＣＰＵとメモリを備える基地局ｅＮＢにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９１】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥと基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９２】
本発明は上記実施形態に限定されず、本発明の精神から逸脱することなく、様々な変形例、修正例、代替例、置換例等が本発明に包含される。
【符号の説明】
【００９３】
ｅＮＢ  ＭｅＮＢ、ＳｅＮＢ  基地局
ＵＥ  ユーザ装置
１０１  ＤＬ信号受信部
１０２  ＵＬ信号送信部
１０３  ＤＣ制御部
１０４  オフセット測定制御部
１０５  オフセット測定結果報告部
２０１  ＤＬ信号送信部
２０２  ＵＬ信号受信部
２０３  ＤＣ制御部
２０４  オフセット測定指示部
２０５  オフセット測定結果処理部
【図１】
2016048857.tif 000003
【図２】
2016048857.tif 000004
【図３】
2016048857.tif 000005
【図４】
2016048857.tif 000006
【図５】
2016048857.tif 000007
【図６】
2016048857.tif 000008
【図７】
2016048857.tif 000009
【図８】
2016048857.tif 000010
【図９】
2016048857.tif 000011
【図１０】
2016048857.tif 000012
【図１１】
2016048857.tif 000013
【図１２】
2016048857.tif 000014
【図１３】
2016048857.tif 000015
【図１４】
2016048857.tif 000016
【図１５】
2016048857.tif 000017
【図１６】
2016048857.tif 000018
【図１７】
2016048857.tif 000019
【図１８】
2016048857.tif 000020